(57)【要約】【課題】外部機器を利用する場合でも、電子機器においてのみ利用可能な情報をユーザに利用させることが可能な電子機器、及び、システムを提供する。【解決手段】電子機器１は、外部インターフェイス部３０と、受信部３１と、制御部３２と、を備える。外部インターフェイス部３０は、第１属性情報を含む第１放送波を受信する外部機器と接続される。受信部３１は、第１放送波に含まれるコンテンツと同一のコンテンツと、第２属性情報とを含む第２放送波を受信する。制御部３２は、受信部３１で受信される第２放送波の第２属性情報のうち、外部機器で受信される第１放送波の第１属性情報に含まれない情報を、外部インターフェイス部３０を介して外部機器に供給する。【選択図】図３
2014087018.tif 000002
【特許請求の範囲】
【請求項１】
第１属性情報を含む第１放送波を受信する外部機器と接続される外部インターフェイス部と、
前記第１放送波に含まれるコンテンツと同一のコンテンツと、第２属性情報とを含む第２放送波を受信する受信部と、
前記受信部で受信される前記第２放送波の第２属性情報のうち、前記外部機器で受信される第１放送波の第１属性情報に含まれない情報を、前記外部インターフェイス部を介して外部機器に供給する制御部と、
を備える電子機器。
【請求項２】
前記第１放送波に含まれるコンテンツと、前記第２放送波に含まれるコンテンツとは、解像度が異なる
請求項１に記載の電子機器。
【請求項３】
前記第１放送波と、前記第２放送波は、略同時に放送される
請求項１に記載の電子機器。
【請求項４】
前記第２放送波の第２属性情報のうち、前記第１放送波の第１属性情報に含まれない情報を外部機器に供給すると、前記供給された情報に基づく第１画像を表示する表示部をさらに備える
請求項１に記載の電子機器。
【請求項５】
請求項１から４のいずれか１項に記載の電子機器と、
前記外部機器と、を備え、
前記外部機器は、
前記供給された情報を受け付ける受付部と、
前記第１放送波に含まれるコンテンツと、前記受付部で受け付けた前記供給された情報に基づく第２画像とを表示する外部機器側の表示部と、
を備えるシステム。
【請求項６】
表示部と、
第１属性情報を含む第１放送波を受信する第１受信部と、
前記第１放送波に含まれるコンテンツと同一のコンテンツと、第２属性情報とを含む第２放送波を受信する第２受信部と、
前記第１受信部で受信される前記第１放送波に含まれるコンテンツを前記表示部に表示する際に、前記第２受信部で受信される前記第２放送波の第２属性情報のうち、前記第１受信部で受信される前記第１放送波の第１属性情報に含まれない情報に基づく画像を、前記第１放送波に含まれるコンテンツと共に前記表示部に表示させる制御部と、
を備える電子機器。
【発明の詳細な説明】
【技術分野】
【０００１】
本発明は、外部機器と接続可能な電子機器と、その電子機器を備えるシステムに関する。
【背景技術】
【０００２】
携帯端末等と、外部機器としてのテレビとを接続するためのインターフェイスとして、ＨＤＭＩ（登録商標）規格が存在する。携帯端末等とテレビとが、ＨＤＭＩ規格を採用したインターフェイスで接続されている場合には、例えば、携帯端末等に保存されているコンテンツをテレビへ送信し、当該コンテンツをテレビで表示させることができる（例えば、特許文献１を参照）。
【０００３】
また、近年、ＨＤＭＩ規格をベースとしたＭＨＬ（登録商標）規格も存在している。ＭＨＬとは、携帯端末向けの高速映像伝送用のインターフェイス規格である。ＭＨＬは、非圧縮なまま水平解像度が１０８０ｐで、３０ｆｐｓの動画データを３端子でテレビに伝送することができる。なお、実際には、ＭＨＬは、５端子を持つＵＳＢコネクタを流用している。
【０００４】
このようにして、ＭＨＬを採用した場合、汎用コネクタであるＵＳＢコネクタを使用してテレビと接続することができるメリットがある。
【先行技術文献】
【特許文献】
【０００５】
【特許文献１】特開２０１１−０９１６９９号公報
【発明の概要】
【発明が解決しようとする課題】
【０００６】
ところで、携帯端末は、携帯電話・移動体端末向けの１セグメント部分受信サービスを利用することが可能である。すなわち、携帯端末は、ワンセグ放送を受信することが可能である。そのワンセグ放送には、テレビ向けの放送に含まれない情報を有する場合がある。このため、ユーザは、テレビを視聴する場合でも、ワンセグ放送にのみ含まれる情報の利用を望むことが多い。
【０００７】
本発明は、外部機器を利用する場合でも、電子機器においてのみ利用可能な情報をユーザに利用させることが可能な電子機器を提供することを目的とする。
本発明は、その電子機器を備えるシステムを提供することを目的とする。
【課題を解決するための手段】
【０００８】
本発明の電子機器は、外部インターフェイス部と、受信部と、制御部と、を備える。前記外部インターフェイス部は、第１属性情報を含む第１放送波を受信する外部機器と接続される。前記受信部は、前記第１放送波に含まれるコンテンツと同一のコンテンツと、第２属性情報とを含む第２放送波を受信する。前記制御部は、前記受信部で受信される前記第２放送波の第２属性情報のうち、前記外部機器で受信される第１放送波の第１属性情報に含まれない情報を、前記外部インターフェイス部を介して外部機器に供給する。
【０００９】
前記第１放送波に含まれるコンテンツと、前記第２放送波に含まれるコンテンツとは、解像度が異なることが好ましい。
【００１０】
前記第１放送波と、前記第２放送波は、略同時に放送されることが好ましい。
【００１１】
電子機器は、前記第２放送波の第２属性情報のうち、前記第１放送波の第１属性情報に含まれない情報を外部機器に供給すると、前記供給された情報に基づく第１画像を表示する表示部をさらに備えることが好ましい。
【００１２】
本発明のシステムは、上述した電子機器と、前記外部機器と、を備える。前記外部機器は、受付部と、外部機器側の表示部と、を備える。受付部は、前記供給された情報を受け付ける。外部機器側の表示部は、前記第１放送波に含まれるコンテンツと、前記受付部で受け付けた前記供給された情報に基づく第２画像とを表示する。
【００１３】
本発明の電子機器は、表示部と、第１受信部と、第２受信部と、制御部と、を備える。前記第１受信部は、第１属性情報を含む第１放送波を受信する。前記第２受信部は、前記第１放送波に含まれるコンテンツと同一のコンテンツと、第２属性情報とを含む第２放送波を受信する。前記制御部は、前記第１受信部で受信される前記第１放送波に含まれるコンテンツを前記表示部に表示する際に、前記第２受信部で受信される前記第２放送波の第２属性情報のうち、前記第１受信部で受信される前記第１放送波の第１属性情報に含まれない情報に基づく画像を、前記第１放送波に含まれるコンテンツと共に前記表示部に表示させる
【発明の効果】
【００１４】
本発明によれば、外部機器を利用する場合でも、電子機器においてのみ利用可能な情報をユーザに利用させることが可能な電子機器を提供することができる。
【図面の簡単な説明】
【００１５】
【図１】実施形態に係るスマートフォンの外観を示す斜視図である。
【図２】実施形態に係るスマートフォンの外観を示す背面図である。
【図３】スマートフォン及びテレビの第１実施形態の構成を示すブロック図である。
【図４】外部機器とスマートフォンがケーブルで接続されている様子を示す図である。
【図５】ケーブルの構成を示す図である。
【図６】外部機器のディスプレイ上に着信の情報が表示される様子を模式的に示す図である。
【図７】スマートフォン及びテレビの動作についての説明に供するフローチャートである。
【図８】スマートフォンの第２実施形態の構成を示すブロック図である。
【発明を実施するための形態】
【００１６】
本発明を実施するための実施形態を、図面を参照しつつ詳細に説明する。以下では、電子機器の一例として、スマートフォンについて説明する。
【００１７】
［第１実施形態］
図１及び図２を参照しながら、実施形態に係るスマートフォン１の外観について説明する。図１及び図２に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１８】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００１９】
タッチスクリーンディスプレイ２は、ディスプレイ２Ａと、タッチスクリーン２Ｂとを有する。ディスプレイ２Ａ（後述する第２表示部３３に対応）は、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスにより構成される。ディスプレイ２Ａは、文字、画像、記号又は図形等を表示する。
【００２０】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２１】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２２】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２３】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２４】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００２５】
例えば、ボタン３Ａ〜３Ｃは、ホームボタン、バックボタン又はメニューボタンである。例えば、ボタン３Ｄは、スマートフォン１のパワーＯＮ／ＯＦＦボタンである。ボタン３Ｄは、スリープ／スリープ解除ボタンを兼ねてもよい。例えば、ボタン３Ｅ及び３Ｆは、音量ボタンである。
【００２６】
照度センサ４は、照度を検出する。例えば、照度とは、光の強さ、明るさ、輝度等である。照度センサ４は、例えば、ディスプレイ２Ａの輝度の調整に用いられる。
【００２７】
近接センサ５は、近隣の物体の存在を非接触で検出する。近接センサ５は、例えば、タッチスクリーンディスプレイ２が顔に近付けられたことを検出する。
【００２８】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００２９】
カメラ１２は、フロントフェイス１Ａに面している物体を撮影するインカメラである。カメラ１３は、バックフェイス１Ｂに面している物体を撮影するアウトカメラである。
【００３０】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｅｆｉｎｉｔｉｏｎ  Ｌｉｎｋ）、ライトピーク（サンダーボルト）、イヤホンマイクコネクタのような汎用的な端子であってもよい。外部インターフェイス１４は、Ｄｏｃｋコネクタのような専用に設計された端子でもよい。
【００３１】
本実施例に係るスマートフォン１は、外部機器を利用する場合でも、スマートフォン１においてのみ利用可能な情報をユーザに利用させることが可能なように制御する。以下に、具体的な構成について説明する。
【００３２】
ここで、外部機器の一実施形態としてのテレビ２００は、フルセグの放送波を受信する。そのテレビ２００は、図３に示すように、第１受信部２０１と、インターフェイス２０２と、受付部２０３と、第１表示部２０４と、第１制御部２０５と、を備える。テレビ２００の詳細については、後述する。
本実施形態のシステム３００は、スマートフォン１と、テレビ２００と、を備える。
【００３３】
スマートフォン１は、図３に示すように、外部インターフェイス３０（外部インターフェイス１４）と、第２受信部３１と、第２制御部３２と、備える。外部インターフェイス３０は、本発明の「外部インターフェイス部」の一実施形態に対応する。第２受信部３１は、本発明の「受信部」の一実施形態に対応する。第２制御部３２は、本発明の「制御部」の一実施形態に対応する。
【００３４】
外部インターフェイス３０は、第１属性情報を含む第１放送波を受信するテレビ２００と接続される。第１属性情報は、例えば、ＢＭＬ（Ｂｒｏａｄｃａｓｔ  Ｍａｒｋｕｐ  Ｌａｎｇｕａｇｅ）のＡプロファイル（以下、単にＡプロファイルと称する）である。第１放送波は、例えば、フルセグの放送波である。
【００３５】
外部インターフェイス３０は、一例として、所定の信号伝送用規格（例えば、映像信号及び／又は音声信号の伝送用規格）に準拠しており、外部機器に接続される。所定の信号伝送用規格とは、例えば、ＨＤＭＩ規格又はＭＨＬ規格等である。
本実施形態では、図４に示すように、外部機器であるテレビ２００とスマートフォン１がケーブル１０２で相互に接続されている形態を想定している。また、テレビ２００のインターフェイス２０２とスマートフォン１の外部インターフェイス３０とは、同一の規格に準拠しているものとして説明するが、これに限られない。
【００３６】
例えば、テレビ２００のインターフェイス２０２は、ＨＤＭＩ規格に準拠し、スマートフォン１の外部インターフェイス３０は、ＭＨＬ規格に準拠していてもよい。このような構成の場合には、ケーブル１０２は、図５に示すように、ＨＤＭＩとＭＨＬを相互に変換するアダプタ１０２ａを備えており、一方の端子１０２ｂがＨＤＭＩ規格に対応してテレビ２００に接続され、他方の端子１０２ｃがＭＨＬ規格に対応してスマートフォン１に接続される。
【００３７】
第２受信部３１は、第２放送波を受信する。第２放送波は、第１放送波に含まれるコンテンツ（番組、プログラム、テレビ番組、テレビプログラム）と同一のコンテンツを含む。第２放送波は、第２属性情報を含む。第２放送波は、ワンセグの放送波である。ここで、上述したように、第１放送波がフルセグの放送波であり、第２放送波がワンセグの放送波であるため、第１放送波に含まれるコンテンツと、前記第２放送波に含まれるコンテンツとは、解像度が異なる。また、第１放送波と、前記第２放送波は、略同時に放送される。また、第１放送波と、前記第２放送波は、略同時に同一のコンテンツを含んで放送される。第２属性情報は、例えば、ＢＭＬのＣプロファイル（以下、単にＣプロファイルと称する）である。
【００３８】
スマートフォン１は、Ｃプロファイルにより、そのＣプロファイル固有の各機能を利用することが可能である。その機能は、例えば、メールに関する機能、電話に関する機能、ＨＴＭＬブラウザに関する機能、現在位置に関する機能、及び、スケジュール帳に関する機能である。
【００３９】
メールに関する機能は、第２放送波からメールの送信先アドレス、件名、本文の内容を指定して、メールアプリケーションを起動させることが可能な機能である。
電話に関する機能は、第２放送波から電話番号を指定して、電話発呼アプリケーションを起動させることが可能な機能である。
ＨＴＭＬブラウザに関する機能は、第２放送波からＨＴＭＬブラウザを起動させることが可能な機能である。
現在位置に関する機能は、第２放送波から現在位置を取得することが可能な機能である。
スケジュール帳に関する機能は、第２放送波からスケジュール帳アプリケーションを起動させることが可能な機能である。例えば、スケジュール帳に関する機能は、次回の番組の情報又はイベント情報等をスケジュール帳に登録する機能である。
【００４０】
第２制御部３２は、第２受信部３１で受信される第２放送波の第２属性情報のうち、テレビ２００で受信される第１放送波の第１属性情報に含まれない情報を、外部インターフェイス３０を介してテレビ２００に供給する。第２属性情報に含まれ、且つ、第１属性情報に含まれない情報とは、Ａプロファイルには含まれず、Ｃプロファイルのみに含まれる情報である。すなわち、その情報は、Ｃプロファイルに固有の機能である。したがって、情報は、第１属性情報と第２属性情報とを比較することに基づいて取得されるのではなく、第２属性情報のみに基づいて取得される。一例として、情報は、上述したメールに関する機能、電話に関する機能、ＨＴＭＬブラウザに関する機能、現在位置に関する機能、及び、スケジュール帳に関する機能である。
【００４１】
第２制御部３２は、ユーザによって選択された情報のみテレビ２００に供給することが可能である。例えば、情報が、メールに関する機能、電話に関する機能、ＨＴＭＬブラウザに関する機能、現在位置に関する機能、及び、スケジュール帳に関する機能である場合において、ユーザによって選択された情報がメールに関する機能であると、第２制御部３２は、メールに関する機能のみをテレビ２００に供給する。
【００４２】
これにより、スマートフォン１は、情報をテレビ２００に供給するので、テレビ２００に情報を利用させることができる。すなわち、スマートフォン１は、従来はスマートフォン１のみで利用可能であった情報を、テレビ２００においても利用させることができる。
【００４３】
スマートフォン１は、第２表示部３３をさらに備える。第２表示部３３は、本発明の「表示部」の一実施形態に対応する。
【００４４】
第２表示部３３は、第２放送波の第２属性情報のうち、第１放送波の第１属性情報に含まれない情報をテレビ２００に供給すると、その供給された情報に基づく第１画像を表示する。例えば、第２制御部３２は、情報がメールに関する機能の場合には、起動されたメールアプリケーションに基づく画像（第１画像）を第２表示部３３に表示させる。ここで、情報にメールアドレスが含まれる場合には、第２制御部３２は、起動されたメールアプリケーションの送信先アドレス欄にそのメールアドレスを入力することが可能である。また、第２制御部３２は、情報が電話に関する機能の場合には、起動された電話発呼アプリケーションに基づく画像（第１画像）を第２表示部３３に表示させる。ここで、情報に電話番号が含まれる場合には、第２制御部３２は、起動された電話発呼アプリケーションに電話番号を入力することが可能である。すなわち、第２制御部３２は、発呼ボタンが操作されれば、その電話番号に電話をかけることが可能な状態にすることができる。
【００４５】
これにより、スマートフォン１は、情報をユーザに利用させることができる。
【００４６】
次に、外部機器の一例としてのテレビ２００について説明する。上述したように、テレビ２００は、第１受信部２０１と、インターフェイス２０２と、受付部２０３と、第１表示部２０４と、第１制御部２０５と、を備える。第１表示部２０４は、本発明の「外部機器側の表示部」の一実施形態に対応する。
【００４７】
第１受信部２０１は、第１属性情報を含む第１放送波を受信する。第１放送波は、上述したようにフルセグの放送波である。第１属性情報は、上述したようにＡプロファイルである。
【００４８】
インターフェイス２０２は、所定の信号伝送用規格に準拠しており、スマートフォン１に接続される。所定の信号伝送用規格とは、例えば、ＨＤＭＩ規格又はＭＨＬ規格等である。
【００４９】
受付部２０３は、インターフェイス２０２を介して、スマートフォン１から供給された情報を受け付ける。
第１表示部２０４は、第１放送波に含まれるコンテンツと、受付部２０３で受け付けた情報に基づく第２画像とを表示する。第１表示部２０４は、スマートフォン１から供給された情報を受付部２０３で受け付けると、例えば、ＯＳＤ（Ｏｎ  Ｓｃｒｅｅｎ  Ｄｉｓｐｌａｙ）の機能を利用してその情報に基づく第２画像を表示する。一例として、情報がメールに関する機能の場合、図６に示すように、第１表示部２０４は、メールに関する画像（図６中のＡ参照）を表示する。第１表示部２０４は、第１制御部２０５の制御に基づいて、第２画像を画面の任意の位置に表示することが可能である。また、第２画像の第１表示部２０４における表示位置と、その第２画像の大きさは、ユーザによる設定に基づいて、第１制御部２０５が適宜調整することが可能である。
【００５０】
第２画像は、スマートフォン１のみが行うことができる機能が、そのスマートフォン１において利用可能になったことを示す画像である。その機能は、例えば、メールに関する機能、電話に関する機能、ＨＴＭＬブラウザに関する機能、現在位置に関する機能、及び、スケジュール帳に関する機能である。
【００５１】
第１制御部２０５は、第１受信部２０１と、受付部２０３と、第１表示部２０４と、を制御する。第１制御部２０５は、タイミング制御部（図示せず）を備えてもよい。そのタイミング制御部は、スマートフォン１から供給された情報に基づく画像と、第１放送波に含まれるコンテンツの画像と、を第１表示部２０４に表示させるタイミングを合わせる。
【００５２】
これにより、テレビ２００は、スマートフォン１においてのみ利用可能な情報があることを、ユーザに通知することができる。
【００５３】
次に、スマートフォン１及びテレビ２００（システム３００）の動作について説明する。図７は、スマートフォン１及びテレビ２００の動作について説明するためのフローチャートである。
【００５４】
ステップＳＴ１において、第２制御部３２は、外部インターフェイス３０を介してテレビ２００に接続されたか否かを判断する。テレビ２００に接続されていない場合（ＮＯ）には、ステップＳＴ１の判断が再度行われる。テレビ２００に接続された場合（ＹＥＳ）には、処理は、ステップＳＴ２に進む。
【００５５】
ステップＳＴ２において、第１受信部２０１は、第１属性情報を含む第１放送波を受信する。第１受信部２０１は、現在視聴中のチャンネル情報を取得する。
【００５６】
ステップＳＴ３において、第２受信部３１は、第２属性情報を含む第２放送波を受信する。すなわち、第２受信部３１は、第１受信部２０１で受信するチャンネルと同一のチャンネルの放送波を受信して、その放送波から第２属性情報を抽出する。第２受信部３１で第２放送波を受信する場合、第２制御部３２は、レシーバ７又はスピーカから出力される音をミュートにすることが好ましい。
【００５７】
ステップＳＴ４において、第２制御部３２は、ステップＳＴ３において受信した第２放送波に含まれる第２属性情報に、第１属性情報にはない情報が含まれるか否かを判断する。より具体的には、第２受信部３１で受信するＢＭＬの中のＣプロファイル（第２属性情報）は、規格上、Ａプロファイル（第１属性情報）には含まれることがない、Ｃプロファイルに固有の機能が含むことが可能である。ステップＳＴ４では、第２制御部３２は、ＢＭＬの中にＣプロファイルに固有の機能が含まれているか検索する。第２属性情報に固有の情報が含まれない場合（ＮＯ）には、ステップＳＴ４の判断が再度行われる。第２属性情報に固有の情報が含まれる場合（ＹＥＳ）には、処理は、ステップＳＴ５に進む。
【００５８】
ステップＳＴ５において、第２制御部３２は、外部インターフェイス３０を介して、情報をテレビ２００に供給する。
【００５９】
ステップＳＴ６において、第１制御部２０５は、ステップＳＴ５にてスマートフォン１から供給された情報を受付部２０３で受け付けると、第１受信部２０１で受信された第１放送波（選択したチャンネル）に基づくコンテンツと、その情報に基づく第２画像とを、第１表示部２０４に表示させる。
【００６０】
ステップＳＴ７において、第２制御部３２は、第２属性情報に固有の情報に基づく第１画像を第２表示部３３に表示させる。
【００６１】
ステップＳＴ８において、第２制御部３２は、外部インターフェイス３０を介したテレビ２００との接続が解消されたか否かを判断する。テレビ２００との接続が解消されていない場合（ＮＯ）には、ステップＳＴ８の判断が再度行われる。テレビ２００との接続が解消された場合（ＹＥＳ）には、処理は、終了する。
【００６２】
［第２実施形態］
スマートフォン４００は、第３受信部４０１と、第４受信部４０２と、表示部４０３と、制御部４０４と、を備える。第３受信部４０１は、本発明の「第１受信部」の一実施形態に対応する。第４受信部４０２は、本発明の「第２受信部」の一実施形態に対応する。
【００６３】
第３受信部４０１は、第１属性情報を含む第１放送波を受信する。第１放送波は、フルセグの放送波である。第１属性情報は、Ａプロファイルである。
【００６４】
第４受信部４０２は、第２放送波を受信する。第２放送波は、第１放送波に含まれるコンテンツと同一のコンテンツを含む。第２放送波は、第２属性情報を含む。第３受信部４０１と第４受信部とで、同一のチャンネルの放送波を受信する。第２放送波は、ワンセグの放送波である。第２属性情報は、Ｃプロファイルである。
【００６５】
制御部４０４は、第３受信部４０１で受信される第１放送波に含まれるコンテンツを表示部４０３に表示する際に、第４受信部４０２で受信される第２放送波の第２属性情報のうち、第３受信部４０１で受信される第１放送波の第１属性情報に含まれない情報に基づく画像を、第１放送波に含まれるコンテンツと共に表示部４０３に表示させる。第２属性情報のうち第１属性情報に含まれない情報に基づく画像（以下、「第３画像」という）とは、第２属性情報について固有の機能が利用可能になったことを示す画像である。その固有の機能は、例えば、メールに関する機能、電話に関する機能、ＨＴＭＬブラウザに関する機能、現在位置に関する機能、及び、スケジュール帳に関する機能である。
【００６６】
制御部４０４は、ユーザの操作に基づいて表示部４０３に表示される第３画像が選択されると、表示部４０３に第４画像を表示させることが好ましい。例えば、制御部４０４は、第２属性情報に固有の情報がメールに関する機能の場合には、起動されたメールアプリケーションに基づく画像（第４画像）を表示部４０３に表示させる。ここで、第２属性情報に固有の情報にメールアドレスが含まれる場合には、制御部４０４は、起動されたメールアプリケーションの送信先アドレス欄にそのメールアドレスを入力することが可能である。また、制御部４０４は、第２属性情報に固有の情報が電話に関する機能の場合には、起動された電話発呼アプリケーションに基づく画像（第４画像）を表示部４０３に表示させる。ここで、第２属性情報に固有の情報に電話番号が含まれる場合には、制御部４０４は、起動された電話発呼アプリケーションに電話番号を入力することが可能である。すなわち、制御部４０４は、発呼ボタンが操作されれば、その電話番号に電話をかけることが可能な状態にすることができる。
【００６７】
これにより、スマートフォン４００は、第２属性情報に固有の情報をユーザに利用させることができる。
【００６８】
また、本実施例では、外部インターフェイス３０は、他の装置が接続される端子であるとして説明したが、本発明はこれに限定されず、外部インターフェイスは、ブルートゥース、ＷｉＦｉ等の無線通信規格に準拠する無線インターフェイスであってもよい。したがって、本願発明の電子機器は、外部機器と無線通信規格に準拠する無線通信により通信可能に接続されていてもよい。また、外部機器のインターフェイス２０２も同様に、無線インターフェイスであってもよい。
【符号の説明】
【００６９】
１  スマートフォン（電子機器）
３０  外部インターフェイス（外部インターフェイス部）
３１  第２受信部（受信部）
３２  第２制御部（制御部）
３３  第２表示部（表示部）
２００  テレビ（外部機器）
２０１  第１表示部（外部機器側の表示部）
２０３  受付部
４００  スマートフォン（電子機器）
４０１  第３受信部（第１受信部）
４０２  第４受信部（第２受信部）
４０３  表示部
４０４  制御部
【図１】
2014087018.tif 000003
【図２】
2014087018.tif 000004
【図３】
2014087018.tif 000005
【図４】
2014087018.tif 000006
【図５】
2014087018.tif 000007
【図６】
2014087018.tif 000008
【図７】
2014087018.tif 000009
【図８】
2014087018.tif 000010